【手続補正書】
【提出日】平成24年3月26日(2012.3.26)
【手続補正１】
【補正対象書類名】特許請求の範囲
【補正対象項目名】全文
【補正方法】変更
【補正の内容】
【特許請求の範囲】
【請求項１】
複数の計算機から構成される計算機システムにおいて、
ジョブが異常終了したときに業務に与える影響の大きさである障害影響度を算出する手段と、
前記計算機の障害発生確率の大きさを示すリスク度を算出する際、前記計算機のソフトウェアを更新してからの通算稼動時間が、あらかじめ指定された時間より短い計算機のリスク度として、その他の計算機のリスク度より大きい値を算出する手段と、
前記リスク度を有する前記計算機で実行を許容することができるジョブの前記障害影響度の最大値である許容最大障害影響度を求める手段と、
前記ジョブの障害影響度が前記許容最大障害影響度以下の前記計算機を選択する手段と、
前記ジョブの実行を選択した前記計算機にジョブの実行を依頼する手段と、
前記計算機にて前記ジョブを実行する手段と、
を有することを特徴とするジョブスケジュールシステム。
【請求項２】
請求項１記載のジョブスケジュールシステムにおいて、
前記計算機ごとに、前記ジョブの稼動実績の有無を示す稼動実績情報を記録する手段と、
前記稼動実績情報を収集する手段と、を更に有し、
前記リスク度を算出する手段は、前記稼動実績情報を参照して、前記ジョブの稼動実績が有る前記計算機のリスク度として、前記ジョブの稼動実績が無い前記計算機のリスク度より小さい値を算出することを特徴とするジョブスケジュールシステム。
【請求項３】
複数の計算機から構成される計算機システムにおいて、
ジョブが異常終了したときに業務に与える影響の大きさである障害影響度を算出する手段と、
計算機で実行中または実行しようとする少なくとも１つのジョブの前記障害影響度の最大値である最大障害影響度を求める手段と、
前記最大障害影響度に対応した多重度を算出する手段と、
を有することを特徴とするジョブスケジュールシステム。
【請求項４】
請求項３に記載のジョブスケジュールシステムにおいて、
同一ジョブで処理するデータを分割し、該分割したデータを複数のジョブで処理可能であることを示す分割可能属性を有する前記ジョブの前記障害影響度として、前記分割可能属性を有さない前記ジョブの前記障害影響度より小さい値を算出することを特徴とするジョブスケジュールシステム。
【請求項５】
請求項３記載のジョブスケジュールシステムにおいて、ジョブが実行中に異常終了した場合に、該ジョブを問題なく再実行可能であることを示す自動再実行不可能属性を有する前記ジョブの障害影響度として、前記自動再実行不可能属性を有さない前記ジョブの前記障害影響度より大きい値を算出することを特徴とするジョブスケジュールシステム。
【請求項６】
複数の計算機から構成される計算機システムで実行されるジョブのスケジュールを管理するジョブスケジュール管理方法であって、
前記複数の計算機と通信可能な管理計算機が、
ジョブが異常終了したときに業務に与える影響の大きさである障害影響度を算出し、
計算機の障害発生確率の大きさを示すリスク度を算出する際、前記計算機のソフトウェアを更新してからの通算稼動時間が、あらかじめ指定された時間より短い計算機のリスク度として、その他の計算機のリスク度より大きい値を算出し、
前記リスク度を有する前記計算機で実行を許容することができるジョブの前記障害影響度の最大値である許容最大障害影響度を求め、
前記ジョブの障害影響度が前記許容最大障害影響度以下の前記計算機を選択し、
前記ジョブの実行を選択した前記計算機にジョブの実行を依頼する、
ことを特徴とするジョブスケジュール管理方法。
【請求項７】
請求項６記載のジョブスケジュール管理方法において、
前記管理計算機が、
前記計算機ごとに、前記ジョブの稼動実績の有無を示す稼動実績情報を記録し、
前記稼動実績情報を収集し、
前記リスク度の算出の際、前記稼動実績情報を参照して、前記ジョブの稼動実績が有る前記計算機のリスク度として、前記ジョブの稼動実績が無い前記計算機のリスク度より小さい値を更に算出することを特徴とするジョブスケジュール管理方法。
【請求項８】
複数の計算機から構成される計算機システムで実行されるジョブのスケジュールを管理するジョブスケジュール管理方法であって、
前記複数の計算機と通信可能な管理計算機が、
ジョブが異常終了したときに業務に与える影響の大きさである障害影響度を算出し、
計算機で実行中または実行しようとする少なくとも１つのジョブの前記障害影響度の最大値である最大障害影響度を求め、
前記最大障害影響度に対応した多重度を算出する、
ことを特徴とするジョブスケジュール管理方法。
【請求項９】
請求項８に記載のジョブスケジュール管理方法において、
前記管理計算機が、
同一ジョブで処理するデータを分割し、該分割したデータを複数のジョブで処理可能であることを示す分割可能属性を有する前記ジョブの前記障害影響度として、前記分割可能属性を有さない前記ジョブの前記障害影響度より小さい値を算出することを特徴とするジョブスケジュール管理方法。
【請求項１０】
請求項８記載のジョブスケジュール管理方法において、
前記管理計算機が、
ジョブが実行中に異常終了した場合に、該ジョブを問題なく再実行可能であることを示す自動再実行不可能属性を有する前記ジョブの障害影響度として、前記自動再実行不可能属性を有さない前記ジョブの前記障害影響度より大きい値を算出することを特徴とするジョブスケジュール管理方法。
【請求項１１】
複数の計算機から構成される計算機システムで実行されるジョブのスケジュールを管理するジョブスケジュール管理計算機に、
ジョブが異常終了したときに業務に与える影響の大きさである障害影響度を算出する機能と、
計算機の障害発生確率の大きさを示すリスク度を算出する際、前記計算機のソフトウェアを更新してからの通算稼動時間が、あらかじめ指定された時間より短い計算機のリスク度として、その他の計算機のリスク度より大きい値を算出する機能と、
前記リスク度を有する前記計算機で実行を許容することができるジョブの前記障害影響度の最大値である許容最大障害影響度を求める機能と、
前記ジョブの障害影響度が前記許容最大障害影響度以下の前記計算機を選択する機能と、
前記ジョブの実行を選択した前記計算機にジョブの実行を依頼する機能と、
を実現させることを特徴とするプログラム。
【請求項１２】
請求項１１記載のプログラムにおいて、
前記管理計算機に、
前記計算機ごとに、前記ジョブの稼動実績の有無を示す稼動実績情報を記録する機能と、
前記稼動実績情報を収集する機能と、
前記リスク度の算出の際、前記稼動実績情報を参照して、前記ジョブの稼動実績が有る前記計算機のリスク度として、前記ジョブの稼動実績が無い前記計算機のリスク度より小さい値を更に算出する機能と、を更に実現させることを特徴とするプログラム。
【請求項１３】
複数の計算機から構成される計算機システムで実行されるジョブのスケジュールを管理するジョブスケジュール管理計算機に、
ジョブが異常終了したときに業務に与える影響の大きさである障害影響度を算出する機能と、
計算機で実行中または実行しようとする少なくとも１つのジョブの前記障害影響度の最大値である最大障害影響度を求める機能と、
前記最大障害影響度に対応した多重度を算出する機能と、
を実現させることを特徴とするプログラム。
【請求項１４】
請求項１３に記載のプログラムにおいて、
前記管理計算機に、
同一ジョブで処理するデータを分割し、該分割したデータを複数のジョブで処理可能であることを示す分割可能属性を有する前記ジョブの前記障害影響度として、前記分割可能属性を有さない前記ジョブの前記障害影響度より小さい値を算出する機能を、更に実現させることを特徴とするプログラム。
【請求項１５】
請求項１３記載のプログラムにおいて、
前記管理計算機に、
ジョブが実行中に異常終了した場合に、該ジョブを問題なく再実行可能であることを示す自動再実行不可能属性を有する前記ジョブの障害影響度として、前記自動再実行不可能属性を有さない前記ジョブの前記障害影響度より大きい値を算出する機能を、更に実現させることを特徴とするプログラム。